(57)【特許請求の範囲】
【請求項１】
加入者回線に接続された複数の端末装置と、前記端末装置を網終端装置を介して収容するとともに、前記端末装置間を接続する交換機と、からなる通信システムであって、
前記交換機は、
前記網終端装置に対して、ループ起動信号を送信する手段と、
前記ループ起動信号により前記網終端装置に前記交換機へのループバック経路が形成されると、前記網終端装置にテスト信号を送信する手段と、
前記網終端装置から折り返えされてくる前記テスト信号を受信する手段と、
受信した前記テスト信号を検証する手段と、
前記端末装置に対して、予め定めた特定の信号を含む呼設定メッセージを送信する手段と、
前記予め定められた特定の信号を含む呼設定メッセージにより前記端末装置との間に通信チャネルを設定したのち、所定のテストデータを前記端末装置に送信する手段と、
前記端末装置より折り返された前記テストデータを受信する手段と、
受信した前記テストデータを検証する手段と、
前記端末装置からの呼設定メッセージに予め定めた特定の信号が含まれるか否かを判定する手段と、
前記呼設定メッセージに特定の信号を含むと判定した場合に、前記端末装置との間にループバック経路を形成し、前記端末装置から受信する信号を折り返し送信する手段と、を有し、
前記端末装置は、
収容するデータ端末またはアナログ端末より、データ折り返し指示を受信した場合に、前記データ端末またはアナログ端末へのループバック経路を形成し、前記データ端末またはアナログ端末から受信する信号を折り返して送信する手段と、
前記交換機から予め定めた特定の信号を含む呼設定メッセージを受信したか否かを判定する手段と、
前記呼設定メッセージに特定の信号を含むと判定した場合に、前記交換機との間にループバック経路を形成し、前記交換機から受信する信号を折り返して送信する手段と、
前記データ端末またはアナログ端末から予め定めた特定の信号を受信すると、当該特定の信号を含む呼設定メッセージを前記交換機に対して送信する手段と、
前記特定の信号を含む呼設定メッセージにより前記交換機との間に通信チャネルを設定したのち、所定のテストデータを前記加入者回線を介して前記交換機に送信する手段と、
を有することを特徴とする通信システム。
【請求項２】
請求項１に記載の通信システムであって、
前記加入者回線はＩＳＤＮ回線であり、前記交換機はＩＳＤＮ交換機であり、前記端末装置はＩＳＤＮ非対応装置をＩＳＤＮ回線に収容するための装置であること、を特徴とする通信システム。
【発明の詳細な説明】
【０００１】
【発明の属する技術分野】
本発明は、回線交換網における、交換機と加入者端末間で生じた障害箇所切り分けの技術に関するものである。
【０００２】
【従来の技術】
たとえば、統合デジタル通信網（ISDN）において加入者の端末装置が行う通信に障害が生じた場合、そので原因となっていた障害箇所の切り分けは、いま、加入者の端末装置（TE２）が端末アダプタ(TA)を介して網終端装置（NT１: DSU)に接続された形態を例にとり説明すると、次のようなループバックテストによって行われてきた。
【０００３】
すなわち、ISDN交換機は、DSUにISDN交換機方向のループバック動作を実行させ、ISDN交換機がDSUに対して送信した信号が正常にISDN交換機に戻ってきたかどうかにより、ISDN交換機とDSU間の正常性を確認する。一方、加入者はTE２よりTAに、TE２方向のループバック動作を実行させ、TE２がTAに対して送信した信号が正常にTE２に戻ってきたかどうかをTE２において検証することにより、TE２とTA間の正常性を確認する。
【０００４】
【発明が解決しようとする課題】
前述した２つのループバックテストにより、ISDN交換機とDSU間、TE２とTA間の正常性が確認できた場合、障害箇所は２つのループバックテストにおいて正常性が検証されていないTAとDSU間にあると推定することができる。しかし、TAとDSU間が正常であっても、他の原因により障害が生じる場合もあるので、ISDN交換機とDSU間、TE２とTA間の正常性が確認できたとしてもTAとDSU間に障害箇所があると特定することはできない。
【０００５】
すなわち、前述した２つのループバックテストでは、障害箇所が、TAとDSU間に存在するのかしないのかを特定することはできない。
【０００６】
そこで、本発明は、交換機と加入者端末の間に障害箇所が存在する場合に、その障害箇所を、よりきめ細やかに特定可能とすることを課題とする。
【０００７】
【課題を解決するための手段】
前記課題達成のために、本発明は、たとえば、加入者回線を収容し、加入者回線間を接続する交換機であって、
前記交換機は、加入者回線に接続された端末装置から予め定めた特定の信号を受信したか否かを判定する手段と、
前記特定の信号を受信したと判定された場合に、前記加入者回線から受信した信号を当該加入者回線に折り返し送信する手段とを有することを特徴とする交換機を提供する。
【０００８】
このような交換機によれば、端末装置より、交換機における端末方向へのループバック動作を起動することができるため、端末装置側において、端末装置と交換機間の正常性を検証することができる。したがって、前記従来の技術に係るループバックテストなどと組み合わせることにより、よりきめ細やかに障害箇所を特定することができるようになる。
【０００９】
また、前記課題達成のために、本発明は、たとえば、交換機に収容される加入者回線に接続した端末装置であって、
接続した加入者回線を介して前記交換機から予め定めた特定の信号を受信したか否かを判定する手段と、
前記特定の信号を受信したと判定された場合に、接続した加入者回線から受信した信号を当該加入者回線に折り返し送信する手段とを有することを特徴とする端末装置を提供する。
【００１０】
このような端末装置によれば、交換機より、端末装置における交換機方向へのループバック動作を起動することができるため、交換機側において、端末装置と交換機間の正常性を検証することができる。したがって、前記従来の技術に係るループバックテストなどと組み合わせることにより、よりきめ細やかに障害箇所を特定することができるようになる。
【００１１】
【発明の実施の形態】
以下、本発明の実施形態について説明する。
【００１２】
図１に、本実施形態に係る通信システムの構成を示す。
【００１３】
図中、７はISDNであり、中継伝送路８により相互接続されたISDN交換機１と、網終端装置（DSU)６とを含んでいる。また、２a、２bはISDN７の加入者の所有する加入者設備であり、各々、DSU６が提供するユーザ・網インタフェースに接続した端末アダプタ(TA）３と、TA３に接続したアナログ端末５とデータ端末４を有している。
【００１４】
次に、図２にTA３と、DSU６と、ISDN交換機１の構成を示す。
【００１５】
図示するようにDSU６は、ユーザ・網インタフェース上のレイヤ１インタフェースとISDN交換機１およびDSU６間のレイヤ１インタフェースとの間の変換を行うレイヤ１変換部６１と、DSU６全体の動作を制御するDSU制御部６２とを有する。また、レイヤ１変換部６１は、ループバックセレクタ６２２を有している。
【００１６】
また、ISDN交換機１は、中継伝送路８との信号の送受を処理する中継インタフェース部１２、加入者インタフェース部１３、加入者インタフェース部１３と他ISDN交換機１間のBチャネルの回線接続を行うデジタルスイッチ部１１、回線試験制御部１４、回線接続制御部１５を有している。また、回線試験制御部１４は、ループバックセレクタ１４１を有している。
【００１７】
加入者インタフェース部１３は、DSU６を介して中継されるユーザ・網インタフェース上のレイヤ２、レイヤ３を終端し、ユーザ・網インタフェース上に設定されたBチャネルとデジタルスイッチ部１１を接続する。回線接続制御部１５は、加入者インタフェース部１４を介してレイヤ３の呼制御メッセージを加入者設備と送受しながら、中継インタフェース部１２を介して、他ISDN交換機１の回線接続制御部１５と回線設定のための情報を送受し、デジタルスイッチ部１１におけるBチャネル回線の接続を制御する。
【００１８】
また、図示するように、TA３は、アナログ端末５またはデータ端末４と信号を送受する端末インタフェース部３１、ユーザ・網インタフェース上のレイヤ２、レイヤ３の制御の行うDチャネル制御部３２、ユーザ・網インタフェース上のBチャネルの制御を行うBチャネル制御部３３、ユーザ・網インタフェース上のレイヤ１の制御を行うレイヤ１制御部３４、全体制御部３５を有している。また、レイヤ１制御部３４は、ユーザ・網インタフェース上に信号を送信するドライバ部３４２、ユーザ・網インタフェースから信号を受信するレシーバ部３４１、レイヤ１フレーム処理部３４４、TA３内部の符号とユーザ・インタフェース上の符号形式であるAMI符号との間の信号の変換を行う信号変換部３４５、ループバックセレクタ３４３、ループバックセレクタ３４６を有している。
【００１９】
Dチャネル制御部３２は、端末インタフェース部３１から全体制御部３５を介して送られる、アナログ端末５またはデータ端末４からの発呼、着呼の要求を受け、受けた要求に従ってISDN交換機１と、レイヤ２、レイヤ３メッセージを交換し、ISDN交換機１との間にBチャネル回線を確立したり、解放したりする呼制御を行う。
【００２０】
以下、このような通信システムにおいて、アナログ端末５またはデータ端末４の行う通信に障害が生じた場合に行う障害切り分け動作について説明する。
【００２１】
本実施形態では、４つのループバックテストによって障害箇所の切り分けを行う。以下、各ループバックテストについて説明する。
【００２２】
まず、DSU１においてISDN交換機１方向に信号をループバックする第１のループバックテストについて説明する。なお、このループバックテストは、先に従来の技術の欄で述べたDSUにおけるループバックによるテストである。
【００２３】
このループバックテストは、以下の手順により行われる。
【００２４】
まず、ISDN交換機１の回線試験制御部１４は、まず、所定のループ起動制御信号を加入者インタフェース部１３を介して、DSU６に送信する。これを受けたDSU６では、レイヤ１変換部６１を介してDSU制御部６２がループ起動制御信号を識別する。そして、DSU制御部６２は、レイヤ１変換部６１のループバックセレクタ６１１を制御し、ISDN交換機１から受け取った信号をそのまま、ISDN交換機１に折り返すよう制御し、これにより、図３に示すような信号のループバック経路を確立する。この後、ISDN交換機１の回線試験制御部１４は、加入者インタフェース部１３を介して、DSU６に適当なテスト信号を送信し、DSU６から折り返されたテスト信号を加入者インタフェース部１３を介して受け取り検証することにより、ISDN交換機１とDSU間の障害の有無を判定する。
【００２５】
次に、TA３においてデータ端末４方向に信号をループバックする第２のループバックテストについて説明する。なお、このループバックテストは、先に従来の技術の欄で述べたTAにおけるループバックによるテストである。
【００２６】
このループバックテストは、以下の手順により行われる。
【００２７】
まず、データ端末４より、TA３に信号の折り返し命令を、たとえば、ATコマンドなどにより投入する。この折り返し命令は、端末インタフェース部３１を介して全体制御部３５に送られ識別される。折り返し命令を識別した全体制御部３５は、レイヤ１制御部２４のループパックセレクタ３４３を、信号変換部３４５から受信した信号をそのまま信号変換部３４５に折り返すよう制御制御し、これにより、図４に示すような信号のループバック経路を確立する。この後、データ端末４は、TA３に適当なテスト信号を送信し、TA３から折り返されたテスト信号を受け取り検証することにより、データ端末４とTA３間の障害の有無を判定する。
【００２８】
さて、以上の２つのループバックテストによれば先に述べたように、ISDN交換機１とDSU６間、データ端末４とTA３間のテストを行うことができるが、DSU６とTA３間のテストを行うことができないため、これら２つのループバックテスト結果が正常であった場合には、障害箇所を特定することができない。たとえば、DSU６とTA３間の線路やTA３のドライバ部３４１やレシーバ部３４２に障害がある場合にも、これらの箇所の障害のために通信に障害が生じているのかどうかを確定的に特定することができない。
【００２９】
そこで、本実施形態では、以下の、さらなる２つのループバックテストを実現することにより、これらと上記２つの従来よりのループバックテストとの組み合わせにより、DSU６とTA３間に障害箇所があるのかどうかを検証可能とする。
【００３０】
では、まず、第３のループバックテストについて説明する。
【００３１】
この第３のループバックテストでは、ISDN交換機１において、データ端末４方向に信号をループバックする。
【００３２】
このループバックテストは、以下の手順により行われる。
【００３３】
まず、ユーザはデータ端末４より、予め定めておいた特殊番号を着番号として指定した発呼要求をATコマンドなどによりTA３に投入する。TA３において、端末インタフェース部３１を介して発呼要求を受け取った全体制御部３５は、発呼をDチャネル制御部３２に要求する。発呼の要求を受けたDチャネル制御部３２は、レイヤ１制御部３４を介して、図５に示す呼制御シーケンスを、ISDN交換機１との間で実行する。
【００３４】
すなわち、まず、指定された着番号を着番号として含めた呼設定メッセージSETUPをISDN交換機１に送り、これに対して、ISDN交換機１より呼設定受付メッセージCALL PROCを受け、その後、呼出メッセージALERTを受けたなら、全体制御部３５、端末インタフェース部３１を介してデータ端末４に呼出中を通知する。そして、ISDN交換機１より接続メッセージCONENTを受けたなら、全体制御部３５、端末インタフェース部３１を介してデータ端末４に接続を通知する共に、レイヤ１制御部３２に、ISDN交換機１との間のBチャネルとBチャネル制御部３３との間の、Bチャネルのデータの中継を開始させ、Bチャネル制御部３３に、このISDN交換機１との間のBチャネルで送受するデータを、端末インタフェース部３１を介してデータ端末と送受させることにより、ISDN交換機１との間にBチャネルを設定する。一方、接続を通知されたデータ端末４は、設定されたBチャネルで送受するデータをTA１との間で送受する。
【００３５】
一方、ISDN交換機１では、TA３から呼設定メッセージSETUPを加入者インタフェース部１３を介して受け取った、回線接続制御部１５は、呼設定メッセージSETUP中の着番号が前述した特殊番号である場合には、前述した通常の回線接続制御は行わず、呼設定受付メッセージCALL PROC、呼出メッセージALERT、接続メッセージCONENTを加入者インタフェース部１３を介してTA３に送り、TA３との間にBチャネルを設定する。また、回線試験制御部１４のループバックセレクタ１３１を制御し、加入者インタフェース部１３を介して、設定したBチャネルを介してTA３から受信したデータを、そのまま加入者インタフェース部１３を介して、設定したBチャネルに送信させることにより、図６に示すような信号のループバック経路を確立する。この後、データ端末４は、ISDN交換機１に適当なテスト信号を設定されたBチャネルのデータとして送信し、ISDN交換機１で折り返されたテスト信号をBチャネルのデータとして受け取り検証することにより、データ端末４とISDN交換機１間の障害の有無を判定する。
【００３６】
なお、ループバックテストの終了は、データ端末４からの切断要求により起動され、TA３とISDN交換機の間で行われる、設定したBチャネルを用いる呼の通常の切断シーケンスにより行う。
【００３７】
次に、第４のループバックテストについて説明する。
【００３８】
この第４のループバックテストでは、TA３において、ISDN交換機１方向に信号をループバックする。
【００３９】
このループバックテストは、以下の手順により行われる。
【００４０】
まず、回線試験制御部１４は、加入者インタフェース部１３を介して、TA３に予め定めた特殊番号を着番号として含めた呼設定メッセージSETUPを送る。そして、これに対して、加入者インタフェース部１３を介してTA３より呼設定受付メッセージCALL PROCを受け、その後、呼出メッセージALERT、接続メッセージCONENTを受けたなら、加入者インタフェース部１３とTA３との間にBチャネルを設定する。
【００４１】
一方、TA３からでは、ISDN交換機１呼設定メッセージSETUPをレイヤ１制御部３４を介して受け取ったDチャネル制御部３２は、呼設定メッセージSETUP中の着番号が前述した特殊番号である場合には、通常の呼制御を行わず、これを全体制御部３５に通知する。通知を受けた全体制御部３５は、Dチャネル制御部３２、レイヤ１制御部３４を介して呼設定受付メッセージCALL PROC、呼出メッセージALERT、接続メッセージCONENTをISDN交換機１に送り、ISDN交換機１との間にBチャネルを設定する。また、レイヤ１制御部２４のループバックセレクタ３４６を制御し、加入者インタフェース部１３を介して、設定したBチャネルを介してISDN交換機１から受信したデータを、そのまま設定したBチャネルに送信させることにより、図７に示すような信号のループバック経路を確立する。
【００４２】
この後、回線試験制御部１４は、加入者インタフェース部１３を介して適当なテスト信号を設定したBチャネルのデータとして送信し、TA３で折り返されたテスト信号をBチャネルのデータとして受け取り検証することにより、TA３とISDN交換機１間の障害の有無を判定する。
【００４３】
なお、ループバックテストの終了は、ISDN交換機１からの切断要求により起動され、TA３とISDN交換機の間で行われる、設定したBチャネルを用いる呼の通常の切断シーケンスにより行う。
【００４４】
以上のように、本実施形態によれば、ISDN交換機とDSU間、TAとデータ端末間のループバックテストによる正常性の検証に加えて、ISDN交換機とデータ端末間、ISDN交換機とTA間のループバックテストによる正常性の検証も行うことができる。したがって、ISDN交換機とDSU間、TAとデータ端末間で正常性が確認された場合に、ISDN交換機とデータ端末間、もしくは、ISDN交換機とTA間で正常性が確認できなかった場合には、DSUとTA間に障害箇所があると特定することができる。
【００４５】
また、本実施形態によれば、第３のループバックテストもしくは第２、第３のループバックテストを加入者側から実施させることができるので、これにより、加入者側設備のみならずISDNの一部を含む範囲において、障害箇所を加入者側のみである程度特定できるようになる。また、逆に、第４のループバックテストもしくは第１、第４のループバックテストをISDN交換機側から実施させることができるので、これにより、ISDN内のみなかず加入者側設備の一部を含む範囲において、障害箇所をISDN交換機側のみで、ある程度特定できるようになる。
【００４６】
また、ISDN交換機とデータ端末間のループバックテストは、着呼先を特殊番号とした通常の発呼により起動することができるので、データ端末より容易にループバックテストを行うことができるようになる。ISDN交換機とTA間のループバックテストも同様である。
【００４７】
なお、以上の実施形態におけるISDN交換機内、DSU内、TA内のループバックセレクタの位置、すなわち、各装置内における折り返し箇所は、一例を示したものであり、その位置は任意でよい。また、アナログ端末とデータ端末のうち、データ端末をループバックテストに用いる場合を例にとり説明したが、これはアナログ端末をループバックテストに用いるように修正してもよい。
【００４８】
また、以上の実施形態では、加入者側設備におけるループバックをTAで行う場合を例にとり説明したが、加入者側設備がTAを用いず端末装置（TE１）を直接DSUに接続するような形態の者である場合には、加入者側設備におけるループバックをTAで行ったのと同様に、端末装置（TE１）で行うようにしてもよい。
【００４９】
また、以上の実施形態では、第３、第４のループバックテストの起動を着番号を特殊番号とした呼設定メッセージにより行ったが、これは、たとえば、発番号など、呼設定メッセージ中の他の情報要素を特殊番号とすることにより行うように修正してもよい。また、呼設定メッセージに代えて、他のメッセージを使用するようにしてもよい。
【００５０】
また、以上ではISDNへの適用を例にとり本実施形態に係る通信システムを説明したが、たとえば、ISDN交換機とデータ端末間のループバックテストは、他の回線公衆網にも同様に適用することができる。
【００５１】
【発明の効果】
以上のように、本発明によれば、交換機と加入者端末の間に障害箇所が存在する場合に、その障害箇所を、よりきめ細やかに特定することができる。
【図面の簡単な説明】
【図１】本発明の実施形態に係る通信システムの構成を示したブロック図である。
【図２】本発明の実施形態に係るISDN交換機、網終端装置、端末アダプタの構成を示した図である。
【図３】本発明の実施形態に係る第１のループバックテストにおける信号経路を示した図である。
【図４】本発明の実施形態に係る第２のループバックテストにおける信号経路を示した図である。
【図５】本発明の実施形態に係る第３のループバックテスト開始時における通信シーケンスを示した図である。
【図６】本発明の実施形態に係る第３のループバックテストにおける信号経路を示した図である。
【図７】本発明の実施形態に係る第４のループバックテストにおける信号経路を示した図である。
【符号の説明】
１  ISDN交換機、２a、２b  加入者設備、３  端末アダプタ(TA）、４  データ端末、５  アナログ端末、６  網終端装置（DSU)、７  ISDN、１１  デジタルスイッチ部、１２  中継インタフェース部、１３  加入者インタフェース部、１４回線試験制御部、１５  回線接続制御部、３１  端末インタフェース部、３２  Dチャネル制御部、３３  Bチャネル制御部、３４  レイヤ１制御部、３５  全体制御部、６１  レイヤ１変換部、６２  DSU制御部、１４１  ループバックセレクタ、３４２  ドライバ部、３４１  レシーバ部、３４３  ループバックセレクタ、３４４  レイヤ１フレーム処理部、３４５  信号変換部、３４６  ループバックセレクタ、６１１  ループバックセレクタ
【図１】
0004028139.tif 000002
【図２】
0004028139.tif 000003
【図３】
0004028139.tif 000004
【図４】
0004028139.tif 000005
【図５】
0004028139.tif 000006
【図６】
0004028139.tif 000007
【図７】
0004028139.tif 000008